(57)【要約】【課題】ディスク式記録再生装置のトレーの前端側にトレー側に付勢された状態で取付けられる前面板の取付け構造において、前面板をトレー側に付勢するための成形されたコイル状のばねを用いることなく、またばねを取付けるためのスペースを必要とせず、組立てが容易な前面板の付勢構造を提供する。【解決手段】トレー１７の前端側に、結合片４３を介して結合される取付け部材２４に対して、棒ばね２６によって前面板２５を弾性的に付勢するようにし、棒ばね２６の両端を、前面板２５の背面側の係止用突部３３の係止孔３４に係止させた状態で、この棒ばね２６の中間部分を取付け部材２４の長さ方向の中間部の係合部５１に係合させ、棒ばね２６を弓形に弾性変形した状態で前面板２５をトレー１７側に付勢する。【選択図】図３
2008269708.tif 000002
【特許請求の範囲】
【請求項１】
キャビネットに対して引出しおよび挿入自在にトレーを設け、ディスク状記録媒体を前記トレー上に載置してキャビネット内に挿入し、この記録再生装置の装着位置に装着して記録および／または再生を行なうディスク式記録再生装置において、
前記トレー側の前端部に取付けられる前面板と、
前記前面板を前記トレー側の前端部に対して前記トレーの引出しおよび挿入方向に移動可能に弾性的に支持する棒ばねと、
を具備し、前記棒ばねはその長さ方向の両端部が前記前面板または前記トレー側の前端部の係止部によって係止されるとともに、前記棒ばねの中間部分が前記トレー側の前端部または前記前面板の係合部に係止され、前記トレーの前端側に付勢されていることを特徴とするディスク式記録再生装置。
【請求項２】
前記棒ばねが、直径が０．５〜１．０ｍｍのロッドであることを特徴とする請求項１に記載のディスク式記録再生装置。
【請求項３】
前記棒ばねがピアノ線であることを特徴とする請求項１に記載のディスク式記録再生装置。
【請求項４】
前記棒ばねが弓形に弾性変形しており、該棒ばねの弾性復元力によって前記前面板が前記トレーの前端側に付勢されていることを特徴とする請求項１に記載のディスク式記録再生装置。
【請求項５】
前記棒ばねが前記前面板の内側に沿って前記トレーの幅方向に延びるように配されていることを特徴とする請求項１に記載のディスク式記録再生装置。
【請求項６】
前記トレーの前端部に取付け部材が結合され、該取付け部材に前記前面板が取付けられるとともに、前記前面板と前記取付け部材との間に前記棒ばねが配され、該棒ばねによって前記前面板が前記トレー側に弾性的に付勢されていることを特徴とする請求項１に記載のディスク式記録再生装置。
【請求項７】
前記トレーの前端部であってその幅方向の両側にそれぞれ取付け溝が形成され、前記取付け部材の背面側であって両側の結合片が前記トレーの高さ方向から前記取付け溝に嵌込むようになっており、しかも前記取付け部材の嵌込み動作の際に前記取付け部材に連設された係止爪が前記トレーの係合段部を乗越えて係合されることを特徴とする請求項６に記載のディスク式記録再生装置。
【請求項８】
前記前面板が前記トレーの前端部の飾り板を構成することを特徴とする請求項１に記載のディスク式記録再生装置。
【請求項９】
前記前面板の背面側に位置決めピンと係止爪とが設けられ、前記位置決めピンが前記トレー側の位置決め孔に挿入されるとともに、前記係止爪が前記トレー側の係合孔のエッジに係合され、しかも前記前面板が前記トレー側に対して前記トレーの高さ方向および幅方向に移動可能であることを特徴とする請求項１に記載のディスク式記録再生装置。
【請求項１０】
前記前面板の背面側に位置決めピンと係止爪とが設けられ、前記位置決めピンが前記トレーの前端部に結合された前記取付け部材の位置決め孔に挿入されるとともに、前記係止爪が前記取付け部材の係合孔のエッジに係合され、しかも前記前面板が前記取付け部材に対して前記トレーの高さ方向および幅方向に移動可能であることを特徴とする請求項６に記載のディスク式記録再生装置。
【請求項１１】
前記前面板の両側端面が前面側から背面側に向かって内側に傾斜した傾斜面になっており、この記録再生装置のフロントパネルの前記トレーを引出す開口の両側端が前面側から背面側に向かって内側に傾斜した傾斜面になっており、前記棒ばねの弾性復元力によって前記前面板の両側の傾斜面が前記フロントパネルの開口の両側の傾斜面に圧着されることを特徴とする請求項１に記載のディスク式記録再生装置。
【請求項１２】
前記前面板の上下の端面が前面側から背面側に向かって内側に傾斜した傾斜面になっており、この記録再生装置のフロントパネルの前記トレーを引出す開口の上下の端面が前面側から背面側に向かって内側に傾斜した傾斜面になっており、前記棒ばねの弾性復元力によって前記前面板の上下の傾斜面が前記フロントパネルの開口の上下の傾斜面に圧着されることを特徴とする請求項１に記載のディスク式記録再生装置。
【発明の詳細な説明】
【技術分野】
【０００１】
本発明はディスク式記録再生装置に係り、とくにキャビネットに対して引出しおよび挿入自在にトレーを設け、ディスク状記録媒体をトレー上に載置してキャビネット内に挿入し、この記録再生装置の装着位置に装着して記録および／または再生を行なうディスク式記録再生装置に関する。
【背景技術】
【０００２】
コンパクトディスク（ＣＤ）やＤＶＤ等のディスク状記録媒体に書込まれている信号を再生して音声や映像を取出したり、あるいはまたこのようなディスク状記録媒体に対して信号を書込んで記録するようにしたディスク式記録再生装置が広く用いられている。このようなディスク式記録再生装置は、ＣＤやＤＶＤのような光ディスクを、例えばトレー上の凹部に載置し、このトレーをキャビネット内の装着位置に引込むようにしている。そしてトレーによって引込まれたディスク状記録媒体がターンテーブルによってチャックされて回転駆動されるとともに、このトレーに対して半径方向に移動する光ピックアップによって信号の読出しあるいは書込みの動作が行なわれる。
【０００３】
このようなディスク式記録再生装置において、トレーの先端側に、トレーとは別部材から成る前面板を取付けるようにし、この前面板によってフロントパネルの開口を閉塞することによって、キャビネット内に異物が侵入したり、あるいはキャビネット内の音が外部に漏れたりするのを防止することができる。
【０００４】
そこで例えば特開平９−５５００５号公報には、ローディングモータによってディスクトレーをディスク装置本体内にローディング完了した時点で、ディスクトレーのディスクトレー本体から切り離されているフロントパネル（前面板）を圧着バネに抗してディスク装置本体のフロントパネルに弾性的に圧着させて、ディスクトレー出入口を密封するようにしたディスク装置が開示されている。
【０００５】
このようにトレーの前面板を圧着バネによって弾性的に圧着させる構成は、限られたスペースにバネを取付けなければならず、これによってバネの取付けのスペースが増大し、意匠的に不利になる。また限られたスペースに小さなバネを取付けなければならず、組立ての作業性が悪化する。さらにはコイル状に成形加工されたバネを複数本、例えば２本用いると、これによって部品点数が多くなり、コストが増大する。また構造によっては、バネ押え用の別部品を使用することになり、これによって部品点数がさらに増加し、コストも増大する。
【０００６】
なお特開平９−５５００５号公報に開示されている構成は、圧着バネとして引張りコイルばねを用いるようにしているが、実開平３−６１６９１号公報には、圧縮コイルばねを用いた構成が開示されている。この場合はトレーの前面板にトレー側に突出するようにロッドを前面板に取付け、このロッドの先端部とトレーの前面側の壁部との間に圧縮コイルばねを配するようになっている。このような構成においても、上記の同様の問題点を回避することはできない。
【特許文献１】特開平９−５５００５号公報
【特許文献２】実開平３−６１６９１号公報
【発明の開示】
【発明が解決しようとする課題】
【０００７】
本願発明の課題は、スペースを多く必要とする引張りコイルばねや圧縮コイルばねを用いることなく、しかもトレーの前面側に取付けられる前面板をトレー側の前端部に対して弾性的に付勢するようにしたディスク式記録再生装置を提供することである。
【０００８】
本願発明の別の課題は、予め加工されたばねを用いることなく、しかもトレー側に対して前面板を弾性的に付勢するようにし、これによってコストの増大を抑えるようにしたディスク式記録再生装置を提供することである。
【０００９】
本願発明のさらに別の課題は、比較的大きな取付けスペースを必要とするばねを用いることなく、しかも前面板をトレー側に対して弾性的に圧着するようにしたディスク式記録再生装置を提供することである。
【００１０】
本願発明のさらに別の課題は、前面板をトレー側に対して圧着するためのばねの取付けが容易に行なわれるようにし、これによって組立ての作業性が改善されるようにしたディスク式記録再生装置を提供することである。
【００１１】
本願発明の上記の課題および別の課題は、以下に述べる本願発明の技術的思想およびその実施の形態によって明らかにされる。
【課題を解決するための手段】
【００１２】
本願の主要な発明は、キャビネットに対して引出しおよび挿入自在にトレーを設け、ディスク状記録媒体を前記トレー上に載置してキャビネット内に挿入し、この記録再生装置の装着位置に装着して記録および／または再生を行なうディスク式記録再生装置において、
前記トレー側の前端部に取付けられる前面板と、
前記前面板を前記トレー側の前端部に対して前記トレーの引出しおよび挿入方向に移動可能に弾性的に支持する棒ばねと、
を具備し、前記棒ばねはその長さ方向の両端部が前記前面板または前記トレー側の前端部の係止部によって係止されるとともに、前記棒ばねの中間部分が前記トレー側の前端部または前記前面板の係合部に係止され、前記トレーの前端側に付勢されていることを特徴とするディスク式記録再生装置に関するものである。
【００１３】
ここで、前記棒ばねが、直径が０．５〜１．０ｍｍのロッドであってよい。また前記棒ばねがピアノ線であってよい。また前記棒ばねが弓形に弾性変形しており、該棒ばねの弾性復元力によって前記前面板が前記トレーの前端側に付勢されてよい。また前記棒ばねが前記前面板の内側に沿って前記トレーの幅方向に延びるように配されてよい。
【００１４】
またここで、前記トレーの前端部に取付け部材が結合され、該取付け部材に前記前面板が取付けられるとともに、前記前面板と前記取付け部材との間に前記棒ばねが配され、該棒ばねによって前記前面板が前記トレー側に弾性的に付勢されてよい。また前記トレーの前端部であってその幅方向の両側にそれぞれ取付け溝が形成され、前記取付け部材の背面側であって両側の結合片が前記トレーの高さ方向から前記取付け溝に嵌込むようになっており、しかも前記取付け部材の嵌込み動作の際に前記取付け部材に連設された係止爪が前記トレーの係合段部を乗越えて係合されてよい。また前記前面板が前記トレーの前端部の飾り板を構成してよい。
【００１５】
またここで、前記前面板の背面側に位置決めピンと係止爪とが設けられ、前記位置決めピンが前記トレー側の位置決め孔に挿入されるとともに、前記係止爪が前記トレー側の係合孔のエッジに係合され、しかも前記前面板が前記トレー側に対して前記トレーの高さ方向および幅方向に移動可能であってよい。また前記前面板の背面側に位置決めピンと係止爪とが設けられ、前記位置決めピンが前記トレーの前端部に結合された前記取付け部材の位置決め孔に挿入されるとともに、前記係止爪が前記取付け部材の係合孔のエッジに係合され、しかも前記前面板が前記取付け部材に対して前記トレーの高さ方向および幅方向に移動可能であってよい。
【００１６】
またここで、前記前面板の両側端面が前面側から背面側に向かって内側に傾斜した傾斜面になっており、この記録再生装置のフロントパネルの前記トレーを引出す開口の両側端が前面側から背面側に向かって内側に傾斜した傾斜面になっており、前記棒ばねの弾性復元力によって前記前面板の両側の傾斜面が前記フロントパネルの開口の両側の傾斜面に圧着されてよい。また前記前面板の上下の端面が前面側から背面側に向かって内側に傾斜した傾斜面になっており、この記録再生装置のフロントパネルの前記トレーを引出す開口の上下の端面が前面側から背面側に向かって内側に傾斜した傾斜面になっており、前記棒ばねの弾性復元力によって前記前面板の上下の傾斜面が前記フロントパネルの開口の上下の傾斜面に圧着されてよい。
【００１７】
本願発明の好ましい態様は、トレーの前端側の前面板と取付け部材とを１本の棒状をなす弾性材料によって結合するようにしたものであって、前面板を取付け部材に対して組付ける前に棒状の弾性材の仮止めを行なっておき、工具無しで組立てできるようにしたものである。
【００１８】
このような構成によると、前面板をコイルばねによって背面側に付勢した場合と同等の密閉構造を達成でき、フロントパネルと前面板との面一化をする体裁を得ることができる。また取付け部材をトレーとほぼ同じ幅とすることができ、意匠的な自由度が増大する。また取付け部材とカバーの他は棒状をなす弾性部材１本のみによって組立てることができるために、部品のコストを削減することができる。またピンセットを使わないで簡単に組立てが可能になるために、作業性が向上する。
【発明の効果】
【００１９】
本願の主要な発明は、キャビネットに対して引出しおよび挿入自在にトレーを設け、ディスク状記録媒体を前記トレー上に載置してキャビネット内に挿入し、この記録再生装置の装着位置に装着して記録および／または再生を行なうディスク式記録再生装置において、トレー側の前端部に取付けられる前面板と、前面板をトレー側の前端部に対してトレーの引出しおよび挿入方向に移動可能に弾性的に支持する棒ばねと、を具備し、棒ばねはその長さ方向の両端部が前面板またはトレー側の前端部の係止部によって係止されるとともに、棒ばねの中間部分がトレー側の前端部または前面板の係合部に係止され、トレーの前端側に付勢されるようにしたものである。
【００２０】
従ってこのような構成によると、長さ方向の両端部が前面板またはトレーの前端部の係止部によって係止されるとともに、中間部分がトレーの前端部または前面板の係合部に係合された棒ばねによって、前面板がトレーの前端側に付勢されるようになり、このためにこの前面板によってフロントパネルの開口を密閉することが可能になる。
【発明を実施するための最良の形態】
【００２１】
以下本願発明を図示の実施の形態によって説明する。図１は本実施の形態に係るディスク式記録再生装置を示すものであって、このディスク式記録再生装置は、例えば直径が１２ｃｍのコンパクトディスク（ＣＤ）やＤＶＤ等の、光ディスクを記録媒体とし、この光ディスクによって信号を再生したり、あるいはまた光ディスクに対する信号の書込みを行なうためのディスク式記録再生装置である。そしてこの装置は、図１に示すように偏平な直方体状をなすキャビネット１０を備えており、このキャビネット１０のフロントパネル１１のほぼ中央部には横長の表示部１２が形成されるとともに、この表示部１２の左上部に電源釦１３が配されている。
【００２２】
またフロントパネル１１の前面側であって表示部１２の左側の下部には、表示部１２よりも一回り小さな横長の開口１６が形成され、この横長の開口１６によってトレー１７が引出しおよび挿入自在に取付けられている。トレー１７はその上面に同心円状に凹部１８、１９が形成され、これによって互いに寸法が異なる複数種類の光ディスク２０を装着できるようにしている。なお外側の凹部１８は、直径が１２ｃｍのＣＤやＤＶＤを受入れる凹部である。また内側の凹部１９は直径が８ｃｍのＣＤやＤＶＤを受入れるようになっている。またトレー１７には、引込まれた状態でターンテーブルや光ピックアップが侵入する開口２１が形成されている。
【００２３】
次に上記トレー１７の前端側の前面板２５の取付け構造について説明する。とくに図２に拡大して示すように、トレー１７の前端部には、取付け部材２４が取付けられるとともに、この取付け部材２４を介して上記前面板２５が取付けられるようになっている。そして前面板２５と取付け部材２４との間に、トレー１７の幅方向であって取付け部材２４および前面板２５の長さ方向に延びる棒ばね２６が配されている。この棒ばね２６によって、前面板２５がトレー１７側であって取付け部材２４に対して弾性的に付勢されるようになっている。
【００２４】
図３はこのようなトレー１７の前端部に対する取付け部材２４の取付け、および取付け部材２４に対する前面板２５の取付けの構造を、上下を逆様にして拡大して示したものである。取付け部材２４はその幅方向の両側の結合片４３がトレー１７の取付け溝４４に係合されるとともに、前面板２５はその背面側の案内用ピン３１と係止爪３２とがそれぞれ取付け部材２４に係合され、取付け部材２４に対して棒ばね２６で弾性的に付勢されるようになっている。
【００２５】
次に前面板２５の構造を図４〜図８によって説明する。前面板２５の背面側であってその両側には、案内用ピン３１と係止爪３２とがそれぞれ一体に植設されている。また前面板２５の背面側であってその両側には、それぞれ係止用突部３３が形成されるとともに、係止用突部３３には、係止孔３４が形成されている。係止孔３４が上記棒ばね２６の両端部を受入れるようになっている。
【００２６】
前面板２５の背面側であってその長さ方向の中央部分には、仮止め用リブ３５が形成されている。この仮止め用リブ３５は、両側の係止用突部３３の係止孔３４に係止された棒ばね２６の中間部を押えるためのものである。またこの前面板２５はその両側の側面の部分が傾斜面３６になっている。また上面および下面には傾斜面３７、３８になっている。また前面板２５は、その前面側の部分が光沢面３９から構成されており、これによってこの前面板２５が飾り板を兼用するようにしている。
【００２７】
次に図９〜図１３によって、取付け部材２４について説明する。取付け部材２４は、例えばＡＢＳ樹脂の成形体から構成され、その長さ方向の両端側には、背面側に位置して結合片４３が形成されており、この結合片４３が図３に示すトレー１７の前端側の取付け溝４４に嵌込まれ、これによってトレー１７の前端部に取付け部材２４が結合されるようになっている。またこの取付け部材２４には、両側に係止爪４５が設けられている。これらの係止爪４５は、トレー１７の前端側の係合段部４６に係合されるようになっており、これによって結合片４３が取付け溝４４に結合された状態を維持するようにロックしている。なお上記係止爪４５の根元側の部分の変形を容易にするように、その両側にはそれぞれ一対の切込み４７が形成されている（図９、図１１参照）。
【００２８】
また取付け部材２４には、その長さ方向の両側にそれぞれ円形の位置決め孔４８が形成されている。これらの位置決め孔４８には、上記前面板２５の背面側の案内用ピン３１が遊嵌されるようになっている。また上記位置決め孔４８の側部には、矩形の係合孔４９が形成されている。この係合孔４９のエッジの部分に、上記前面板２５の係止爪３２が係合されるようになっている。また取付け部材２４の長さ方向の中間部には、突起から成る係合部５１が形成されるようになっている。そして係合部５１の両側にはそれぞれ押え片５２が連設されている。
【００２９】
次に以上のような構成に係る取付け部材２４を介して、前面板２５をトレー１７側の前端側の部分に取付ける動作を、とくに図３および図１４を参照して説明する。図３および図１４は、何れも上下を逆様にして示しており、トレー１７の裏側の部分が上から見えるようにして示している。まず取付け部材２４をトレー１７の前端部に取付ける。この動作は、取付け部材２４の両側の結合片４３をトレー１７の取付け溝４４に嵌込むようにして結合する。このときに取付け部材２４はトレー１７に対して、このトレー１７の上側から下側に移動するようにして組込まれる。従って図１４に示すように組立てる場合には、紙面に対して下側から取付け部材２４をトレー１７に対して上方へ移動させることになる。
【００３０】
取付け部材２４の両側の結合片４３をトレー１７の取付け溝４４に係合させると、この動作に連動して、取付け部材２４の背面側に突出するように設けられている一対の係止爪４５がトレー１７の前端側の係合段部４６を乗越えることになる。なおこのときに、係止爪４５はその両側に位置する切込み４７によって弾性変形しながらトレー１７の係合段部４６に係合される。従って結合片４３が取付け溝４４に嵌込まれて結合された状態を、係止爪４５によってロックして維持することが可能になる。
【００３１】
次に前面板２５に予め棒ばね２６を取付けておく。すなわち棒ばね２６の両端部を、前面板２５の両側の係止用突部３３の係止孔３４内に挿入し、これによって棒ばね２６が前面板２５の背面側に保持される。なお棒ばね２６は、その中間部分が中央の仮止め用リブ３５に仮止めされた状態になる。そしてこのときには、棒ばね２６は変形しておらず、ほぼ真っ直ぐな状態に維持される。
【００３２】
なお棒ばね２６は、ピアノ線を所定の長さ、すなわちトレー１７の幅方向の寸法に応じた長さに切断して用いる。またこのピアノ線から成る棒ばね２６は、その太さが０．５〜１．０ｍｍの範囲内であることが好ましい。ピアノ線から成る棒ばね２６の直径は、トレー１７の重量や、前面板２５に対して与える付勢力に応じて、各種の直径のものが任意に選択される。
【００３３】
棒ばね２６が予め背面側に取付けられた前面板２５は、図１４に示すように取付け部材２４に結合される。この結合の動作は、前面板２５の背面側に突出するように設けられている案内用ピン３１を取付け部材２４の円形の位置決め孔４８内に挿入するとともに、前面板２５の背面側であって上記案内用ピン３１の側部に位置する係止爪３２を、取付け部材２４の矩形の係合孔４９のエッジの部分に係合させる。この状態は図１５Ｂに拡大して示されている。このときに前面板２５は、取付け部材２４に対して前後方向、上下方向および横方向に所定の余裕を持って取付けられており、前面板２５は取付け部材２４に対して遊嵌された状態になっている。
【００３４】
前面板２５を案内用ピン３１と係止爪３２とによって、取付け部材２４に結合したならば、この状態において、図１４Ｂに示すように、前面板２５の背面側に取付けられている棒ばね２６の中間部分を、仮止め用リブ３５から外すとともに、取付け部材２４の背面側の係合部５１に係合させる。そして係合部５１に押えられた棒ばね２６の両側の部分を、取付け部材２４の係合部５１の両側の押え片５２によって押えるようにする。これによって棒ばね２６の中間部分が係合部５１に係合された状態が確実に維持されるようになる。
【００３５】
なおこの実施の形態は、取付け部材２４をトレー１７とは別部材から構成し、このトレー１７の前端部に嵌込んで結合するようにしているが、取付け部材２４をトレー１７と一体にし、トレー１７の前端部に前面板２５の取付け部を一体的に形成するようにしてもよい。従って取付け部材２４はトレー１７の前端部に一体的に構成されたものであってもよい。
【００３６】
また上記実施の形態においては、棒ばね２６はその両端側の部分が、前面板２５の背面側の係止用突部３３の係止孔３４に係止され、しかも棒ばね２６の中間部分が取付け部材２４の係合部５１に引っ掛けられて係合されるようになっている。このような構成に代えて、取付け部材２４側で棒ばね２６の両端部を係止し、棒ばね２６の中間部分を前面板２５の中間位置に係合させるようにしてもよい。すなわち棒ばね２６の取付け構造を、上記実施の形態とは逆の構成とすることも可能である。
【００３７】
本実施の形態の前面板２５の取付け構造によると、図１５ＡおよびＢに示すように、棒ばね２６によって前面板２５がトレー１７側に付勢されており、しかもトレー１７が完全に引込まれると、前面板２５の両側の傾斜面３６と上下の傾斜面３７、３８とが、フロントパネル１１の横長の開口１６の両側の傾斜面および上下の傾斜面にそれぞれ棒ばね２６の弾性復元力によって弾性的に圧着される。従って前面板２５がフロントパネル１１の横長の開口１６を密閉した状態となり、このためにキャビネット１０内に、横長の開口１６を通して粉塵が侵入することが防止される。あるいはまた異音を外部に放出することがなくなる。
【００３８】
このような実施の形態の前面板２５の取付け構造を有するトレー１７によると、成形されたコイルばねと同等の密閉構造によって、前面板２５でフロントパネル１１の横長の開口１６を密閉することができ、前面板２５がフロントパネル１１を密閉した状態でしかも外表面が連続した表面を構成する体裁を得ることが可能になる。しかも前面板２５を取付け部材２４あるいはトレー１７に対して弾性的に付勢する構造が、前面板２５の背面に沿って配される棒ばね２６から構成されるために、棒ばね２６の配置のスペースがほとんど必要でなく（図１４参照）、このために意匠的自由度が大幅に増大する。またこのような構成は、前面板２５をトレー１７側に付勢するための構造として、ピアノ線を所定の長さに切断した棒ばね２６一本で済むために、部品のコストが大幅に少なくなる。しかも組立て動作は、図１４ＡおよびＢに示すように、棒ばね２６の中間部分を前面板２５の仮止め用リブ３５から取外して、取付け部材２４の係合部５１に係合させるだけでよく、特別な工具を必要とせずに容易に組立てを行なうことができる。従ってこのような構造により、トレー１７の組立ての作業性が改善される。
【００３９】
以上本願発明を図示の実施の形態によって説明したが、本願発明は上記実施の形態によって限定されることなく、本願発明の技術的思想の範囲内において各種の変更が可能である。例えば上記実施の形態における取付け部材２４を別部材とすることなく、トレー１７と一体の構造としてもよい。また棒ばね２６の前面板および取付け部材２４に対する取付けを、互いに逆の関係とするようにしてもよい。
【産業上の利用可能性】
【００４０】
本願発明は、ＣＤやＤＶＤ等の光ディスクを媒体とする光ディスクプレーヤに広く適用することができる。
【図面の簡単な説明】
【００４１】
【図１】本発明の一実施の形態に係る光ディスクプレーヤの外筐の全体の概要を示す外観斜視図である。
【図２】同光ディスクプレーヤのトレーの部分の分解斜視図である。
【図３】トレーに対する取付け部材および前面板の取付けを示す上下を逆様にした状態の斜視図である。
【図４】前面板の平面図である。
【図５】前面板の横断面図である。
【図６】前面板の背面図である。
【図７】前面板の側面図および縦断面図である。
【図８】前面板の斜視図である。
【図９】取付け部材の背面図である。
【図１０】取付け部材の底面図である。
【図１１】取付け部材の上下を逆様にした状態の正面図である。
【図１２】取付け部材の側面図、および縦断面図である。
【図１３】取付け部材の外観斜視図である。
【図１４】前面板の組立ての動作を示す裏側から見た平面図である。
【図１５】組立てられた前面板とフロントパネルとの関係を示す要部拡大縦断面図および要部拡大横断面図である。
【符号の説明】
【００４２】
１０…キャビネット、１１…フロントパネル、１２…表示部、１３…電源釦、１６…横長の開口、１７…トレー、１８、１９…凹部、２０…光ディスク、２１…開口、２４…取付け部材、２５…前面板、２６…棒ばね、３１…案内用ピン、３２…係止爪、３３…係止用突部、３４…係止孔、３５…仮止め用リブ、３６…傾斜面（側面）、３７…傾斜面（上）、３８…傾斜面（下）、３９…光沢面、４３…結合片、４４…取付け溝、４５…係止爪、４６…係合段部、４７…切込み、４８…位置決め孔、４９…係合孔、５１…係合部、５２…押え片
【図１】
2008269708.tif 000003
【図２】
2008269708.tif 000004
【図３】
2008269708.tif 000005
【図４】
2008269708.tif 000006
【図５】
2008269708.tif 000007
【図６】
2008269708.tif 000008
【図７】
2008269708.tif 000009
【図８】
2008269708.tif 000010
【図９】
2008269708.tif 000011
【図１０】
2008269708.tif 000012
【図１１】
2008269708.tif 000013
【図１２】
2008269708.tif 000014
【図１３】
2008269708.tif 000015
【図１４】
2008269708.tif 000016
【図１５】
2008269708.tif 000017